(57)【要約】      （修正有）【課題】光線治療システムは個別の調整は必要なく、そして複数の対の発光素子がより強力な広い面積の照明を提供するように配列される。発光素子は要求される治療と美容術効果を達成するように同一波長または異なる波長を放射する。【解決手段】光線治療システムは、両者間に傾斜角を有するように共に組み立てられた二つの発光素子と、水平でない側面を有する二つのパッドとを含む。各発光素子は本体を含み、各パッドは本体の底部に配置され、二つの発光素子が、回路基板に組み立て後に、両者間に傾斜角を有し、二つの発光素子から放射された光は干渉性または非干渉性構造を有する。【選択図】図７
0003111788.tif 000002
【実用新案登録請求の範囲】
【請求項１】
各々が本体を有し、両者間に傾斜角を有するように共に組み立てられた二つの発光素子と、各発光素子の本体の底部に各々が配置され、水平でない側面を有する二つのパッドとからなる光線治療システムであって、回路基板に組み立てた後に、二つの発光素子が両者間に傾斜角を有し、二つの発光素子から放射された光が干渉性または非干渉性構造の干渉を有する光線治療システム。
【請求項２】
水平でない側面を有するパッドは予め決められた角度の傾斜面をもつパッドである請求項１に記載の光線治療システム。
【請求項３】
水平でない側面を有するパッドが対称な傾斜角を有し、パッドの水平でない側面の最も低い位置が、二つの発光素子を組み立てた後に、発光素子の側面に一致する請求項１に記載の光線治療システム。
【請求項４】
発光素子間の位相差はパッドの水平でない側面の傾斜角により決定され、発光素子の発光角度は組み立て後に決定される請求項１に記載の光線治療システム。
【請求項５】
発光素子はＬＥＤ、ＲＣＬＥＤ、レーザーおよびＶＣＳＥＬの一つである請求項１に記載の光線治療システム。
【請求項６】
発光素子の放射する光は同一の波長を有する請求項１に記載の光線治療システム。
【請求項７】
発光素子の放射する光は異なる波長を有する請求項１に記載の光線治療システム。
【請求項８】
二つの発光素子が一つの光放射セットを構成し、広い面積の照明を提供するように、複数の光放射セットが配列された請求項１に記載の光線治療システム。
【考案の詳細な説明】
【技術分野】
【０００１】
本考案は光線治療システム、特に傾斜した方法で回路基板に組み立てられた二つの発光素子を持つ光療法システムに関するものであり、これにより二つの発光素子より放射された光が自動的に干渉性または非干渉性構造の干渉を有している。
【背景技術】
【０００２】
レーザー光線は治療機能のような広い用途の機能を提供するために開発されている。特定の波長、エネルギ−、パルス幅および照明時間を持つレーザー光線はヒト組織に高視準で照射される。この照明下の組織は治療や肌の若返り効果を達成するように生物学的な刺激を与えられる。レーザー光線はレーザー・メス、レーザーしみ取り、またはレーザー入れ墨に集中的に使用される。
【０００３】
米国特許番号５５４９６６０と５２５９３８０は治療および肌の若返り用の光システムを開示した。これらの光線治療システムにおいて、光源は円形または楕円形に配置され、そして目標平面上に光を放射する複数の発光素子からなる。これらの発光素子からの光はヒト組織の治療や肌の若返り効果を達成するように、干渉性または非干渉性構造の干渉により強い光線へと集中する。
【考案の開示】
【考案が解決しようとする課題】
【０００４】
しかしながら上述の光線治療システムにおいて、発光素子の位相（P）や強度は干渉性または非干渉性構造の干渉を達成するように注意深く設定されそして保持されなければならない。従って発光素子は円形の土台または広い面積の土台の上に配置され、適切な強度と位相を設定するために個別に注意深く較正をする必要を強いられる。いずれにしても、従来の技術による光線治療システムは発光素子を取り付けるために円形の土台または広い面積の土台をまだ必要とする。
【０００５】
図１は米国特許番号５５４９６６０１（この特許では図３）を示す概略図であり、そして図２と図３は米国特許番号５２５９３８０（この特許では図２と図３）を示す概略図である。発光素子は円形の土台または広い面積の土台の上に配置され、干渉性または非干渉性構造の干渉のための適切な強度と位相を設定するために個別に注意深い較正を必要とする。従って上記の光線治療システムの大量生産は困難である。
【課題を解決するための手段】
【０００６】
本考案は回路基板に傾斜した方法で組み立てられた二つの発光素子を持つ光線治療システムを提供し、これにより二つの発光素子から放射された光が自動的に干渉性または非干渉性構造の干渉を有する。
【０００７】
従って本考案の光線治療システムは両者間に傾斜角を有するように共に組み立てられた二つの発光素子と、水平でない側面を有する二つのパッドを含む。各発光素子は本体を含み、各パッドは本体の底部に配置され、これによって二つの発光素子が回路基板に組み込まれた後に両者間に傾斜角を有し、そして二つの発光素子より放射された光が干渉性または非干渉性構造の干渉を有する。本考案の光線治療システムは個別の調整を必要とせず、そして多くの対の発光素子がより強く広い面積の照明を提供するように配列されることができる。発光素子は要求される治療と美容術効果を達成するように同一の波長または異なる波長を放射することができる。
【０００８】
新規性があると思われる本考案の特徴は添付の請求項の詳細な事項で説明する。然し本考案自体は付属の図面とともに、本考案についてのいくつかの模範的な実施形態を記述する本考案についての以下の詳細な記述を参照することにより最も良く理解することができる。
【考案を実施するための最良の形態】
【０００９】
図４〜図６を参照して本考案の好ましい実施形態による光線治療システムは二つの発光素子１１および１２により構成される一つの光放射セット１を含む。発光素子１１および１２は夫々本体１１１および本体１２１と、夫々水平でない側面を持つパッド１１３および１２３よりなる。従って二つの発光素子１１および１２は回路基板３上に傾斜して取り付けることができる。二つの発光素子１１および１２から放射された光は強力な光点を形成するように干渉性または非干渉性構造の干渉を有する。従って本考案による光線治療システムは小さい面積で強い強度の照明を必要とする用途に適する。
【００１０】
図４を参照すると発光素子１１および１２は、夫々本体１１１および本体１２１と、夫々本体１１１の一面上および本体１２１の一面上にある光放射部１１２、１２２よりなる。水平でない側面を持つパッド１１３および１２３は夫々本体１１１および本体１２１の底面に配置される。従って発光素子１１および１２から放射される光線は自然に両者間に傾斜角を有する。図５に示すように、パッド１１３および１２３は異なる直径の円い切り取り部１１３１、１１３２、１２３１、１２３２を有する。発光素子１１（１２）がパッド１１３（１２３）上に配置されるとき、発光素子１１（１２）の二つのピン１１５（１２５）は切り取り部１１３１（１２３１）に入れられる。従って発光素子１１および１２はパッド１１３および１２３により整列され、そして回路基板３上に正確に配置される。
【００１１】
図５に示すように、発光素子１１および１２の本体１１１および本体１２１の底部は水平でない側面を持つパッド１１３および１２３上に配置される。更に水平でない側面を持つパッド１１３および１２３は対称な傾斜を有する。パッド１１３および１２３の水平でない側面の最も低い位置１１３ａ、１２３ａは図４に示すように組み立て後の発光素子１１および１２の側面１１４、１２４に一致する。従って傾斜角２は発光素子１１および１２の間で自然に決定される。
【００１２】
図６を参照すると、発光素子１１および１２を回路基板３上に取り付けるために、本体１１１および本体１２１の底部が、水平でない側面を持つパッド１１３および１２３上に置かれるとき、傾斜角２は発光素子１１および１２の間で自然に確定される。発光素子１１および１２から放射される光線の傾斜角は本体１１１および本体１２１の底面上でのパッド１１３および１２３の傾斜角により決定される。各発光素子１１および１２に対して傾斜角を個別に調整する必要はない。
【００１３】
本体１１１および本体１２１の底部の下に、水平でない側面を持つパッド１１３および１２３を備えることは発光素子１１および１２間の位相差を制御することになる。図７に示すように、二つの発光素子１１および１２からの光は、小面積で高強度の光線を形成するように、干渉性または非干渉性構造の干渉を起こす。この小面積で高強度の光線は治療および美容術への応用に有利である。
【００１４】
この好ましい実施形態において、発光素子１１および１２はＬＥＤ、ＲＣＬＥＤ、レーザーそしてＶＣＳＥＬでよい。発光素子１１、１２からの光は同一波長であることができる。しかしこれは本考案に課された制限ではない。更に発光素子１１、１２は要求される治療効果を達成するように様々な波長を放射することができる。例えば波長５３０ｎｍの緑色レーザーおよび波長４１０ｎｍの青色レーザーは血管や色素欠乏の病気に使用することができる。波長６３０ｎｍの赤色レーザーは色素欠乏病、入れ墨、脱毛処理、非剥離しわ伸ばし、歯のかがやき、外科手術に使用することができる。波長５９０ｎｍの黄色レーザーは血管の病気、非剥離しわ伸ばし、そして光線治療に使用することができる。
【００１５】
上の記述で光放射セット１は二つの発光素子１１および１２より構成され、発光素子１１および１２の傾斜角は、干渉性または非干渉性構造の干渉により小面積で高強度の光線を提供するように調整される。更にその各々が二つの発光素子１１および１２より構成される複数の光放射セットは、図８に示すように配列型の光源を形成するように集められることができる。図８に示す配列型の光源は広い面積の照明を提供することができる。また配列型光源の発光素子は治療および美容術への応用に備えるため干渉性および非干渉性構造の干渉を有する。
【００１６】
本考案はこれの好ましい実施形態について記述してきたが、本考案はこの詳細記述に限定されないことが理解されるであろう。様々な入れ替えや修正は前述の記述で示唆しており、そして他のことも当業者に思いつくであろう。従ってこのような代替や修正の全ては付属の請求項に定義される本考案の範囲に包含されることを目的としている。
【図面の簡単な説明】
【００１７】
【図１】米国特許番号５５４９６６０における図３を示す。
【図２】米国特許番号５２５９３８０における図２を示す。
【図３】米国特許番号５２５９３８０における図３を示す。
【図４】本考案の好ましい実施形態による発光素子の断面図を示す。
【図５】本考案によるパッドの平面図。
【図６】本考案の好ましい実施形態による組み立て後の発光素子の断面図を示す。
【図７】本考案による発光素子の照明を示す断面図。
【図８】配列された複数の光放射セットの概略図を示す。
【符号の説明】
【００１８】
１  発光セット
２  傾斜角
３  回路基板
１１、１２  光素子
１１１、１２１  本体
１１２、１２２  発光部
１１３、１２３  パッド
１１３ａ、１２３ａ  パッドの水平でない側面の最も低い位置
１１４、１２４  発光素子の側面
１１５、１２５  発光素子のピン
１１３１、１２３１  パッドの切り取り部
１１３、１２３  パッド
１１３１、１２３１  パッドの切り取り部
１１３２、１２３２  パッドの切り取り部
【図１】
0003111788.tif 000003
【図２】
0003111788.tif 000004
【図３】
0003111788.tif 000005
【図４】
0003111788.tif 000006
【図５】
0003111788.tif 000007
【図６】
0003111788.tif 000008
【図７】
0003111788.tif 000009
【図８】
0003111788.tif 000010